(57)【要約】【課題】光の分布を光軸の方向と光軸に交差する所望の方向との間の範囲に偏らせる。【解決手段】レンズは、透光性を有する材料からなるレンズ本体を備える。レンズ本体は、レンズ本体の一面である基準面から内向きにくぼんだ凹部と、凹部の表面に設けられ、ＬＥＤモジュール２から放射される光が入射する入射面３２とを有する。レンズ本体は、レンズ本体のうちで基準面と反対側の表面に設けられ、入射面から入射した光が出射する出射面を有する。入射面は、基準面から離れるにつれて曲率が増加する凹曲面形状の第１入射面と、基準面から離れるにつれて曲率が減少する凹曲面形状の第２入射面とを有する。出射面は、基準面から離れるにつれて曲率が減少する凸曲面形状に形成されている。第１入射面と第２入射面の境界線を含み、かつ、基準面と交差する境界面に対して、ＬＥＤモジュールの光軸を含み、かつ、境界面と平行な光軸面が第１入射面側に位置する。【選択図】        図１１
2020060691.tif 000002
【特許請求の範囲】
【請求項１】
透光性を有する材料からなるレンズ本体を備え、
前記レンズ本体は、
前記レンズ本体の一面である基準面から内向きにくぼんだ凹部と、
前記凹部の表面に設けられ、固体光源から放射される光が入射する入射面と、
前記レンズ本体のうちで前記基準面と反対側の表面に設けられ、前記入射面から入射した前記光が出射する出射面と
を有し、
前記入射面は、
前記基準面から離れるにつれて曲率が増加する凹曲面形状の第１入射面と、
前記基準面から離れるにつれて曲率が減少する凹曲面形状の第２入射面と
を有し、
前記出射面は、前記基準面から離れるにつれて曲率が減少する凸曲面形状に形成され、
前記第１入射面と前記第２入射面の境界線を含み、かつ、前記基準面と交差する境界面に対して、前記固体光源の光軸を含み、かつ、前記境界面と平行な光軸面が前記第１入射面側に位置する、
レンズ。
【請求項２】
前記出射面の頂点は、前記光軸面と前記境界面の間に位置する、
請求項１記載のレンズ。
【請求項３】
前記第１入射面の曲率の最大値は、前記第２入射面の曲率の最大値よりも大きい、
請求項１又は２記載のレンズ。
【請求項４】
前記出射面の曲率が頂点から前記基準面に向かって増加する、
請求項１〜３のいずれか１項に記載のレンズ。
【請求項５】
前記基準面上の前記境界面から前記第２入射面までの最長の直線距離は、前記基準面上の前記光軸面から前記第２入射面までの最長の直線距離よりも短い、
請求項１〜４のいずれか１項に記載のレンズ。
【請求項６】
前記境界面と前記光軸面の最短の距離は、前記光軸から前記固体光源の発光領域の端までの最短距離の２分の１よりも短い、
請求項５記載のレンズ。
【請求項７】
前記レンズ本体における前記基準面に、前記凹部の周囲を囲むように内向きにくぼんだ凹所が設けられている、
請求項１〜６のいずれか１項に記載のレンズ。
【請求項８】
前記レンズ本体における前記基準面に一つ以上の位置決め部が設けられ、
前記位置決め部は、前記レンズ本体が取り付けられる部材の取付面に対して位置決めされる、
請求項１〜７のいずれか１項に記載のレンズ。
【請求項９】
請求項１〜８のいずれかのレンズと、
前記レンズの前記入射面に光軸を向けるように配置される固体光源と
を備える、
照明装置。
【請求項１０】
請求項９の照明装置と、
前記照明装置を支持する器具本体と
を備える、
照明器具。
【発明の詳細な説明】
【技術分野】
【０００１】
本開示は、レンズ、照明装置及び照明器具に関する。より詳細には、本開示は、固体光源の配光を制御するレンズ、前記固体光源と前記レンズを有する照明装置、及び前記照明装置と前記照明装置を支持する器具本体とを有する照明器具に関する。
【背景技術】
【０００２】
従来例として特許文献１記載のレンズ及び照明器具を例示する。特許文献１記載の照明器具は、レンズを有する発光装置と、バッテリと、非常時にバッテリから放電される電力で発光装置を発光（点灯）させる点灯装置と、発光装置、バッテリ及び点灯装置を収容する、円筒形の器具本体とを備える。なお、発光装置が有する光源は発光ダイオード（固体光源）である。特許文献１記載の照明器具は、非常時照明を行う非常用照明器具（非常灯）である。
【０００３】
レンズは、底面と、出射面と、入射凹面とを備えている。出射面は、底面の中央上方に頂点を有する凸曲面からなる。入射凹面は、底面の中央をくぼませて形成されている。入射凹面は滑らかな曲面からなる釣鐘形状である。入射凹面の深い側ほど入射凹面の径が小さくされており、入射凹面の開口端側に行くほど径が大きくなる。入射凹面が発光面と対向するように、レンズが光源にかぶせられている。レンズは、入射凹面の底に、入射凹面の深さよりも小さく盛り上がった第１凸面を備える。第１凸面は、外側に膨らんだ凸曲面である。
【０００４】
上述のように構成されたレンズを有する発光装置は、いわゆるバッドウイング型配光を実現することができる。
【先行技術文献】
【特許文献】
【０００５】
【特許文献１】特開２０１６−１６２５１２号公報
【発明の概要】
【発明が解決しようとする課題】
【０００６】
特許文献１のレンズによれば、光を拡散できるために広い照射範囲を取得できる。一方、照明器具の設置場所によっては、特定の範囲に集中して光を照射したい場合があり、また、レンズの光軸を特定の範囲に向けて照明器具を設置することが難しい場合がある。
【０００７】
本開示の目的は、光の分布を光軸の方向と光軸に交差する所望の方向との間の範囲に偏らせることができるレンズ、照明装置及び照明器具を提供することである。
【課題を解決するための手段】
【０００８】
本開示の一態様に係るレンズは、透光性を有する材料からなるレンズ本体を備える。前記レンズ本体は、前記レンズ本体の一面である基準面から内向きにくぼんだ凹部と、前記凹部の表面に設けられ、固体光源から放射される光が入射する入射面とを有する。前記レンズ本体は、前記レンズ本体のうちで前記基準面と反対側の表面に設けられ、前記入射面から入射した前記光が出射する出射面を有する。前記入射面は、前記基準面から離れるにつれて曲率が増加する凹曲面形状の第１入射面と、前記基準面から離れるにつれて曲率が減少する凹曲面形状の第２入射面とを有する。前記出射面は、前記基準面から離れるにつれて曲率が減少する凸曲面形状に形成されている。前記第１入射面と前記第２入射面の境界線を含み、かつ、前記基準面と交差する境界面に対して、前記固体光源の光軸を含み、かつ、前記境界面と平行な光軸面が前記第１入射面側に位置する。
【０００９】
本開示の一態様に係る照明装置は、前記レンズと、前記レンズの前記入射面に光軸を向けるように配置される固体光源とを備える。
【００１０】
本開示の一態様に係る照明器具は、照明装置と、前記照明装置を支持する器具本体とを備える。
【発明の効果】
【００１１】
本開示のレンズ、照明装置及び照明器具は、光の分布を光軸の方向と光軸に交差する所望の方向との間の範囲に偏らせることができるという効果がある。
【図面の簡単な説明】
【００１２】
【図１】図１は、本開示の実施形態に係る照明器具の斜視図である。
【図２】図２Ａは、同上の照明器具の正面半断面図である。図２Ｂは、同上の照明器具の右側面図である。図２Ｃは、同上の照明器具の下面図である。
【図３】図３は、本開示の実施形態に係る照明装置の斜視図である。
【図４】図４は、同上の照明装置の分解斜視図である。
【図５】図５Ａは、同上の照明装置が有する固体光源（ＬＥＤモジュール）の正面図である。図５Ｂは、同上のＬＥＤモジュールの側面図である。
【図６】図６Ａは、本開示の実施形態に係るレンズの下面図である。図６Ｂは、同上のレンズの上面図である。
【図７】図７Ａは、同上のレンズの前面図である。図７Ｂは、同上のレンズの後面図である。
【図８】図８は、同上のレンズの左側面図である。
【図９】図９は、同上のレンズの前後方向の断面図である。
【図１０】図１０は、同上のレンズの左右方向の断面図である。
【図１１】図１１は、同上のレンズの配光特性図である。
【図１２】図１２は、同上の照明装置の要部の断面図である。
【図１３】図１３Ａは、同上の照明器具が設置された階段室の水平方向の断面図である。図１３Ｂは、同上の階段室の鉛直方向の断面図である。
【図１４】図１４は、同上の変形例のレンズの前後方向の断面図である。
【図１５】図１５は、同上の変形例のレンズの配光特性図である。
【発明を実施するための形態】
【００１３】
以下、実施形態に係るレンズ３、照明装置（非常用光源ユニット１４）及び照明器具１について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１４】
実施形態に係る照明器具１は、非常灯及び階段通路誘導灯を兼用する非常用照明器具である。照明器具１は、例えば、集合住宅の共用部の廊下及び階段の壁面に直付けされる。照明器具１は、常用電源（商用の電力系統など）から供給される常用電力で常用照明を行うとともに、常用電力で蓄電池を充電し、常用電源の停電時に蓄電池から供給される非常用電力で非常用照明を行う。なお、以下の照明器具１に関する説明においては、特に断りのない限り、図１に矢印で示す前後、上下及び左右の各方向を照明器具１の前後、上下及び左右の各方向と規定する。例えば、照明器具１の前方向とは、照明器具１が直付けされる壁面から垂直方向（壁面の法線方向）に沿って離れる方向である。
【００１５】
照明器具１は、図１及び図２Ａ〜図２Ｃに示すように、器具本体１０、反射板１１、カバー１２、常用光源ユニット１３及び非常用光源ユニット１４を備える。
【００１６】
器具本体１０は、例えば、アルミダイカストによって前面が開放された箱形に形成されている。器具本体１０の内部には、常用光源ユニット１３、常用点灯回路、充電回路、蓄電池、非常用点灯回路などが収容されている。常用点灯回路は、商用の電力系統から供給される交流電力を直流電力に変換し、変換した直流電力によって常用光源ユニット１３を点灯させる。常用光源ユニット１３は、照明用白色ＬＥＤ（Light Emitting Diode）と、照明用白色ＬＥＤを保護し、かつ、照明用白色ＬＥＤから放射される照明光を拡散させる拡散板１３０とを有する。
【００１７】
反射板１１は、例えば、アルミニウム又はアルミニウム合金などの金属材料によって平板状に形成されている（図１参照）。反射板１１は、器具本体１０の前面を覆うように器具本体１０に取り付けられる。反射板１１の中央に円形の穴１１０が開口している（図１及び図２Ａ参照）。反射板１１が器具本体１０に取り付けられた状態において、反射板１１の穴１１０から常用光源ユニット１３の拡散板１３０が露出している。なお、反射板１１の前面は鏡面仕上げされており、常用光源ユニット１３から放射される光が反射板１１の前面で反射される。
【００１８】
カバー１２は、アクリル樹脂などの透光性を有する合成樹脂によって角樋状に形成されている。カバー１２は、四角形状の前板１２０と、長方形状の左側板１２１と、長方形状の右側板１２２とを有する。左側板１２１は、前板１２０の左端から後方に突き出ている。右側板１２２は、前板１２０の右端から後方に突き出ている。前板１２０と左側板１２１と右側板１２２は、合成樹脂の成形体として一体に形成されている。左側板１２１及び右側板１２２の後端には、Ｌ字状の差込片１２３がそれぞれ後方へ突き出すように一体に形成されている（図１参照）。各差込片１２３は、器具本体１０の上方より、器具本体１０の前端部分の左右両端にそれぞれ設けられている差込溝１００に一つずつ差し込まれる（図１参照）。つまり、カバー１２は、一対の差込片１２３の各々が器具本体１０の一対の差込溝１００の各々に一つずつ差し込まれることにより、器具本体１０に対して着脱可能に取り付けられる。
【００１９】
非常用光源ユニット１４は、実施形態に係る照明装置である。非常用光源ユニット１４は、固体光源であるＬＥＤモジュール２と、実施形態に係るレンズ３と、放熱板１５と、ＬＥＤホルダ１６と、レンズホルダ１７と、２本の取付ねじ１８とを有する（図３〜図１０参照）。非常用光源ユニット１４は、器具本体１０の底面に設けられた円形の窓穴１０１からレンズ３の一部を器具本体１０の外に突き出させた状態で器具本体１０内に収容されている（図２Ａ〜図２Ｃ参照）。
【００２０】
ＬＥＤモジュール２は、図５Ａ及び図５Ｂに示すように、合成樹脂製のパッケージ２０を有している。パッケージ２０の表面から円筒形のリブ２００が突き出ている。パッケージ２０内には、複数のＬＥＤチップが実装された基板が収容されている。これら複数のＬＥＤチップは、シリコーン樹脂などの透光性を有する合成樹脂によって封止されている。複数のＬＥＤチップから放射される光は、パッケージ２０のリブ２００の内側に形成されている発光領域２１からパッケージ２０の外に出射される。ＬＥＤモジュール２の光軸Ａ１は、円形の発光領域２１の中心Ｏ１を通って発光領域２１の法線方向と平行する仮想の直線である（図９及び図１０参照）。なお、パッケージ２０の表面において、リブ２００を挟んだ対角線上の両端に、アノード電極２２及びカソード電極２３が設けられている。アノード電極２２及びカソード電極２３には、給電用の電線が１本ずつはんだ付けされる。
【００２１】
レンズ３は、図６〜図８に示すように、ガラス（例えば、石英ガラス）のような透光性を有する材料からなるレンズ本体３０及びフランジ３５を備える。フランジ３５は、円環状に形成されている。フランジ３５は、レンズ本体３０の側面における一端（上端）から外向きに突き出ている。
【００２２】
レンズ本体３０は、レンズ本体３０の一面（上面）である基準面Ｓ１（図６Ｂ参照）から内向きにくぼんだ凹部３１と、凹部３１の表面に設けられた入射面３２と、レンズ本体３０のうちで基準面Ｓ１と反対側の表面（下面）に設けられた出射面３３とを有する。さらに、レンズ本体３０の基準面Ｓ１には、凹部３１の周囲を囲むように内向き（下向き）にくぼんだ凹所３４が設けられている（図９〜図１０参照）。凹所３４は、ＬＥＤモジュール２のアノード電極２２及びカソード電極２３と電気的に接続される電線を逃がすためのスペースとしてレンズ本体３０に設けられている。ただし、レンズ本体３０は凹所３４が設けられなくてもかまわない。
【００２３】
また、レンズ本体３０の基準面Ｓ１において、凹所３４の周辺に３個の位置決め凹部３６が設けられている。これら３個の位置決め凹部３６の各々は、凹所３４とつながった半球状の凹みからなる（図７Ａ及び図７Ｂ参照）。なお、３個の位置決め凹部３６は、基準面Ｓ１において凹所３４の周方向に沿って等間隔に並んでいる（図６Ａ及び図６Ｂ参照）。
【００２４】
入射面３２は、凹曲面形状の第１入射面３２１と、凹曲面形状の第２入射面３２２とを有する（図６Ｂ及び図９参照）。第１入射面３２１は、凹部３１の表面における前方に位置し、第２入射面３２２は、凹部３１の表面における後方に位置している（図９参照）。第１入射面３２１の曲率（曲率半径の逆数）は、基準面Ｓ１から離れるにつれて増加している。一方、第２入射面３２２の曲率は、基準面Ｓ１から離れるにつれて減少している。なお、第１入射面３２１の曲率の最大値は、第２入射面３２２の曲率の最大値よりも大きい。
【００２５】
出射面３３は、基準面Ｓ１と反対側（下側）に突き出す凸曲面形状に形成されている（図８参照）。出射面３３の曲率は、出射面３３の頂点Ｔ１から基準面Ｓ１に向かって増加している。なお、出射面３３の頂点に「Ｔ１」の符号を付している（図９参照）。
【００２６】
ここで、第１入射面３２１と第２入射面３２２の境界線を含み、かつ、基準面Ｓ１と交差（実施形態では直交）する仮想の平面を境界面ＳＳ１と定義する。また、ＬＥＤモジュール２の光軸Ａ１を含み、かつ、境界面ＳＳ１と平行な仮想の平面を光軸面Ｓ２と定義する（図９参照）。光軸面Ｓ２は、境界面ＳＳ１に対して、第１入射面３２１側に位置している。言い換えると、光軸面Ｓ２は、境界面ＳＳ１から前方（図９における右方）にずれている。なお、基準面Ｓ１上において、境界面ＳＳ１から第２入射面３２２までの最長の直線距離をＸ２とし、光軸面Ｓ２から第２入射面３２２までの最長の直線距離をＸ１としたとき、Ｘ２はＸ１よりも短い（Ｘ２＜Ｘ１）ことが好ましい。さらに、境界面ＳＳ１と光軸面Ｓ２の最短の距離をＤ１とし、ＬＥＤモジュール２の光軸Ａ１（発光領域２１の中心Ｏ１）から発光領域２１の端までの距離をＬ１としたとき、Ｄ１はＬ１の２分の１よりも短いことが好ましい（図５Ａ、図９参照）。
【００２７】
レンズ３の配光特性を図１１に示す。図１１における実線α１は、前後方向の配光特性、すなわち、光軸Ａ１を含み、かつ、境界面ＳＳ１と垂直に交わる仮想の平面上の配光特性を示している。ただし、図１１における原点は発光領域２１の中心Ｏ１である。また、図１１における動径の値は、実線α１で示される配光特性の光量のピーク値によって正規化されている。実線α１に対して、ＬＥＤモジュール２の光軸Ａ１と重なる鉛直下方の角度を０°とし、前方向の角度にマイナスの符号を付し、後方向の角度にプラスの符号を付している。
【００２８】
一方、図１１における破線α２は、左右方向の配光特性、すなわち、境界面ＳＳ１上の配光特性を示している。ただし、破線α２に対しては、ＬＥＤモジュール２の光軸Ａ１と重なる鉛直下方の角度を０°とし、左方向の角度にマイナスの符号を付し、右方向の角度にプラスの符号を付している。
【００２９】
図１１の破線α２から明らかなように、レンズ３は、−６０°〜６０°の範囲において、左右方向に対してほぼ均等に光を配光している。一方、図１１の実線α１から明らかなように、レンズ３は、前方向の所定の範囲（例えば、−３０°〜−７０°の範囲）の光量を相対的に多くするように配光している。つまり、レンズ３は、光軸面Ｓ２を境界面ＳＳ１から前方にずらすことにより、光の分布（配光特性）を光軸Ａ１の方向（上下方向）と光軸Ａ１に交差する所望の方向（前方向）との間の範囲（鉛直方向から約３０°〜７０°の範囲）に偏らせることができる。
【００３０】
放熱板１５は、例えば、アルミニウム製又はアルミニウム合金製の板材によって多角形状（例えば、八角形状）に形成されている（図４参照）。
【００３１】
ＬＥＤホルダ１６は、円板状のホルダ本体１６０と、ホルダ本体１６０をレンズホルダ１７に固定するための一対の固定部１６１とを有する（図３及び図４参照）。ホルダ本体１６０と一対の固定部１６１は、合成樹脂成形体として一体に形成される。ホルダ本体１６０の中央に取付け孔１６２が開口している（図４参照）。ホルダ本体１６０の取付け孔１６２にＬＥＤモジュール２がはめ込まれる。ＬＥＤモジュール２は、取付け孔１６２に嵌め込まれることによってＬＥＤホルダ１６（ホルダ本体１６０）に保持される。また、ホルダ本体１６０の表面における取付け孔１６２の周囲に、３個の突部１６４が設けられている（図４参照）。各突部１６４は、半球状に形成されている。
【００３２】
一対の固定部１６１は、ホルダ本体１６０の側面において、取付け孔１６２を挟んで対向する位置から、それぞれ一つずつ突き出ている（図４参照）。各固定部１６１の先端部分がＬ字状に折れ曲がっている。さらに、各固定部１６１の先端に爪１６３が形成されている（図３及び図４参照）。
【００３３】
レンズホルダ１７は、円環状の枠体１７０を有する（図３及び図４参照）。枠体１７０の中央に円形の窓１７１が開口している。窓１７１の直径は、レンズ本体３０の直径よりも大きく、かつ、フランジ３５の直径よりも小さい。また、枠体１７０において、窓１７１を挟んで対向する位置に、ねじ挿通孔１７２が一つずつ貫通している（図４参照）。さらに、枠体１７０の側面において、窓１７１を挟んで対向する位置に、固定部１６１の爪１６３が引っ掛かる引掛部１７３が一つずつ設けられている（図４参照）。
【００３４】
ＬＥＤモジュール２を保持したＬＥＤホルダ１６は、一対の固定部１６１の各々の爪１６３が枠体１７０の一対の引掛部１７３に一つずつ引っ掛かることによってレンズホルダ１７と結合する（図３参照）。なお、レンズ３は、レンズ本体３０を枠体１７０の窓１７１に挿通するようにしてＬＥＤホルダ１６とレンズホルダ１７の間に挟み込まれる。そして、枠体１７０における窓１７１の周縁部分がレンズ３のフランジ３５にかぶさることによって、レンズ３がレンズホルダ１７に保持される（図３及び図１２参照）。また、レンズ３は、レンズ本体３０の３個の位置決め凹部３６の各々に、ＬＥＤホルダ１６の３個の突部１６４のうちで対応する突部１６４が１個ずつはまり込む（図３及び図１２参照）。つまり、レンズ３は、３個の位置決め凹部３６と３個の突部１６４によってＬＥＤホルダ１６のホルダ本体１６０に位置決めされる。さらに、レンズ３は、ＬＥＤホルダ１６を介してＬＥＤモジュール２と位置決めされる（図３参照）。なお、レンズホルダ１７は、一対のねじ挿通孔１７２のそれぞれに１本ずつ挿通される取付ねじ１８により、放熱板１５に対してねじ止めされる（図３参照）。
【００３５】
照明器具１は、例えば、図１３Ａ及び図１３Ｂに示すように、階段通路誘導灯として階段室８の踊り場８０の壁８１に設置される。なお、階段室８の階段８２の幅Ｗ１は約１．８ｍである。また、踊り場８０の奥行きＦ１は約１．８ｍである。照明器具１の取付け高さＨ１は約２ｍである。
【００３６】
照明器具１の非常用光源ユニット１４（照明装置）は、図１１の破線α２で示す配光特性を有するので、図１３Ａに示すように左右の階段８２及び踊り場８０に必要十分な光量の光を照射することができる。また、照明器具１の非常用光源ユニット１４は、図１１の実線α１で示す配光特性を有するので、図１３Ｂに示すように、下り方向の階段（右側の階段）及び下の階の踊り場８０まで必要十分な光量の光を照射することができる。なお、非常用光源ユニット１４において「必要十分な光量」とは、建築基準法（非常灯の場合）及び消防法（階段通路誘導灯の場合）に規定されている非常時照明の必要照度（例えば、２ルクス又は１ルクス）を確保するために必要十分な光量を意味する。
【００３７】
また、レンズ３において、出射面３３の頂点Ｔ１は、光軸面Ｓ２と境界面ＳＳ１の間に位置している。これにより、レンズ３は、配光特性を鉛直方向から約３０°〜７０°の範囲に偏らせつつ、光軸Ａ１の方向（鉛直方向）にも必要十分な光量の光を配光することができる。
【００３８】
さらに、レンズ３において、第１入射面３２１の曲率の最大値（約０．２５）は、第２入射面３２２の曲率の最大値（約０．１５）よりも大きい。なお、第１入射面３２１及び第２入射面３２２の各々の曲率が最大となるのは、境界面ＳＳ１と直交する方向における境界面ＳＳ１付近の曲率である。これにより、レンズ３は、第１入射面３２１に入射する光をより偏らせることができる。
【００３９】
また、レンズ３において、基準面Ｓ１上の境界面ＳＳ１から第２入射面３２２までの最長の直線距離Ｘ２は、基準面Ｓ１上の光軸面Ｓ２から第２入射面３２２までの最長の直線距離Ｘ１よりも短い（図９参照）。これにより、レンズ３は、第１入射面３２１に入射する光をより偏らせることができる。
【００４０】
さらに、レンズ３において、境界面ＳＳ１と光軸面Ｓ２の最短の距離Ｄ１は、ＬＥＤモジュール２の光軸Ａ１（発光領域２１の中心Ｏ１）から発光領域２１の端までの距離Ｌ１の２分の１よりも短い。これにより、レンズ３は、配光特性を鉛直方向から約３０°〜７０°の範囲に偏らせつつ、光軸Ａ１の方向（鉛直方向）にも必要十分な光量の光を配光することができる。
【００４１】
ここで、実施形態に係るレンズ３の変形例について説明する。変形例のレンズ３は、図１４に示すように、レンズ本体３０における基準面Ｓ１に凹所３４が設けられていない点のみが実施形態に係るレンズ３と異なる。なお、実施形態に係るレンズ３において、凹所３４は、ＬＥＤモジュール２のアノード電極２２及びカソード電極２３と電気的に接続される電線を逃がすためのスペースとしてレンズ本体３０に設けられている。
【００４２】
変形例のレンズ３の配光特性を図１５に示す。図１５における実線β１は、前後方向の配光特性を示している。ただし、図１５における動径の値は、実線β１で示される配光特性の光量のピーク値によって正規化されている。また、実線β１に対して、ＬＥＤモジュール２の光軸Ａ１と重なる鉛直下方の角度を０°とし、前方向の角度にマイナスの符号を付し、後方向の角度にプラスの符号を付している。
【００４３】
一方、図１５における破線β２は、左右方向の配光特性を示している。ただし、破線β２に対しては、ＬＥＤモジュール２の光軸Ａ１と重なる鉛直下方の角度を０°とし、左方向の角度にマイナスの符号を付し、右方向の角度にプラスの符号を付している。
【００４４】
変形例のレンズ３は、実施形態に係るレンズ３と同様に、配光特性を光軸Ａ１の方向と前後方向との間の範囲（鉛直方向から約３０°〜７０°の範囲）に偏らせることができる。ただし、図１５の実線β１で示す配光特性では、図１１の実線α１で示す配光特性に対して、−４０°付近の光量が３０％程度減少している。つまり、変形例のレンズ３は、凹所３４が設けられていないことによって、前方向における−４０°付近の光量のピークを低下させることができる。図１５の破線β２から明らかなように、変形例のレンズ３は、実施形態に係るレンズ３と同様に、−６０°〜６０°の範囲において、左右方向に対してほぼ均等に光を配光している。
【００４５】
上述のように第１の態様に係るレンズ（３）は、透光性を有する材料からなるレンズ本体（３０）を備える。レンズ本体（３０）は、レンズ本体（３０）の一面である基準面（Ｓ１）から内向きにくぼんだ凹部（３１）と、凹部（３１）の表面に設けられ、固体光源（ＬＥＤモジュール２）から放射される光が入射する入射面（３２）とを有する。レンズ本体（３０）は、レンズ本体（３０）のうちで基準面（Ｓ１）と反対側の表面に設けられ、入射面（３２）から入射した光が出射する出射面（３３）を有する。入射面（３２）は、基準面（Ｓ１）から離れるにつれて曲率が増加する凹曲面形状の第１入射面（３２１）と、基準面（Ｓ１）から離れるにつれて曲率が減少する凹曲面形状の第２入射面（３２２）とを有する。出射面（３３）は、基準面（Ｓ１）から離れるにつれて曲率が減少する凸曲面形状に形成されている。第１入射面（３２１）と第２入射面（３２２）の境界線を含み、かつ、基準面（Ｓ１）と交差する境界面（ＳＳ１）に対して、固体光源の光軸（Ａ１）を含み、かつ、境界面（ＳＳ１）と平行な光軸面（Ｓ２）が第１入射面（３２１）側に位置する。
【００４６】
第１の態様に係るレンズ（３）は、光軸面（Ｓ２）を境界面（ＳＳ１）から第１入射面（３２１）側にずらすことにより、光の分布（配光特性）を光軸（Ａ１）の方向と光軸（Ａ１）に交差する所望の方向との間の範囲に偏らせることができる。
【００４７】
第２の態様に係るレンズ（３）は、第１の態様との組合せにより実現され得る。第２の態様に係るレンズ（３）において、出射面（３３）の頂点（Ｔ１）は、光軸面（Ｓ２）と境界面（ＳＳ１）の間に位置することが好ましい。
【００４８】
第２の態様に係るレンズ（３）は、光の分布を鉛直方向から偏らせつつ、光軸（Ａ１）の方向（鉛直方向）にも必要十分な光量の光を配光することができる。
【００４９】
第３の態様に係るレンズ（３）は、第１又は第２の態様との組合せにより実現され得る。第３の態様に係るレンズ（３）において、第１入射面（３２１）の曲率の最大値は、第２入射面（３２２）の曲率の最大値よりも大きいことが好ましい。
【００５０】
第３の態様に係るレンズ（３）は、第１入射面（３２１）に入射する光をより偏らせることができる。
【００５１】
第４の態様に係るレンズ（３）は、第１〜第３の態様のいずれかとの組合せにより実現され得る。第４の態様に係るレンズ（３）において、出射面（３３）の曲率が頂点（Ｔ１）から基準面（Ｓ１）に向かって増加することが好ましい。
【００５２】
第４の態様に係るレンズ（３）は、出射面（３３）から出射する光をより偏らせることができる。
【００５３】
第５の態様に係るレンズ（３）は、第１〜第４の態様のいずれかとの組合せにより実現され得る。第５の態様に係るレンズ（３）において、基準面（Ｓ１）上の境界面（ＳＳ１）から第２入射面（３２２）までの最長の直線距離（Ｘ２）は、基準面（Ｓ１）上の光軸面（Ｓ２）から第２入射面（３２２）までの最長の直線距離（Ｘ１）よりも短いことが好ましい。
【００５４】
第５の態様に係るレンズ（３）は、第１入射面（３２１）に入射する光をより偏らせることができる。
【００５５】
第６の態様に係るレンズ（３）は、第５の態様との組合せにより実現され得る。第６の態様に係るレンズ（３）において、境界面（ＳＳ１）と光軸面（Ｓ２）の最短の距離（Ｄ１）は、光軸（Ａ１）から固体光源の発光領域（２１）の端までの距離（Ｌ１）の２分の１よりも短いことが好ましい。
【００５６】
第６の態様に係るレンズ（３）は、光の分布を所定の範囲に偏らせつつ、光軸（Ａ１）の方向にも必要十分な光量の光を配光することができる。
【００５７】
第７の態様に係るレンズ（３）は、第１〜第６の態様のいずれかとの組合せにより実現され得る。第７の態様に係るレンズ（３）において、レンズ本体（３０）における基準面（Ｓ１）に、凹部（３１）の周囲を囲むように内向きにくぼんだ凹所（３４）が設けられていることが好ましい。
【００５８】
第７の態様に係るレンズ（３）は、固体光源に給電するための電線を、凹所（３４）によって逃がすことができる。
【００５９】
第８の態様に係るレンズ（３）は、第１〜第７の態様のいずれかとの組合せにより実現され得る。第８の態様に係るレンズ（３）において、レンズ本体（３０）における基準面（Ｓ１）に一つ以上の位置決め部（位置決め凹部３６）が設けられることが好ましい。位置決め部は、レンズ本体（３０）が取り付けられる部材（ＬＥＤホルダ１６）の取付面に対して位置決めされることが好ましい。
【００６０】
第８の態様に係るレンズ（３）は、部材（ＬＥＤホルダ１６）に対して容易に位置決めすることができる。
【００６１】
第９の態様に係る照明装置（非常用光源ユニット１４）は、第１〜第８の態様のいずれかのレンズ（３）と、レンズ（３）の入射面（３２）に光軸（Ａ１）を向けるように配置される固体光源（ＬＥＤモジュール２）を備える。
【００６２】
第９の態様に係る照明装置は、光の分布（配光特性）を光軸（Ａ１）の方向と光軸（Ａ１）に交差する所望の方向との間の範囲に偏らせることができる。
【００６３】
第１０の態様に係る照明器具（１）は、第９の態様に係る照明装置と、照明装置を支持する器具本体（１０）とを備える。
【００６４】
第１０の態様に係る照明器具（１）は、光の分布（配光特性）を光軸（Ａ１）の方向と光軸（Ａ１）に交差する所望の方向との間の範囲に偏らせることができる。
【符号の説明】
【００６５】
１  照明器具
２  ＬＥＤモジュール（固体光源）
３  レンズ
１０  器具本体
１６  ＬＥＤホルダ（部材）
２１  発光領域
３０  レンズ本体
３１  凹部
３２  入射面
３３  出射面
３４  凹所
３６  位置決め凹部（位置決め部）
３２１  第１入射面
３２２  第２入射面
Ａ１  光軸
Ｓ１  基準面
Ｓ２  光軸面
ＳＳ１  境界面
Ｔ１  出射面の頂点
Ｘ１  基準面上の光軸面から第２入射面までの最長の直線距離
Ｘ２  基準面上の境界面から第２入射面までの最長の直線距離
Ｄ１  境界面と光軸面の最短の距離
Ｌ１  光軸から発光領域の端までの距離
【図１】
2020060691.tif 000003
【図２】
2020060691.tif 000004
【図３】
2020060691.tif 000005
【図４】
2020060691.tif 000006
【図５】
2020060691.tif 000007
【図６】
2020060691.tif 000008
【図７】
2020060691.tif 000009
【図８】
2020060691.tif 000010
【図９】
2020060691.tif 000011
【図１０】
2020060691.tif 000012
【図１１】
2020060691.tif 000013
【図１２】
2020060691.tif 000014
【図１３】
2020060691.tif 000015
【図１４】
2020060691.tif 000016
【図１５】
2020060691.tif 000017